(57)【特許請求の範囲】
【請求項１】
左右の前輪（２Ｌ）（２Ｒ）と左右の後輪（３Ｌ）（３Ｒ）とを有する２軸４車輪形のトラクタにおいて、
左右のいずれか一方の前・後輪（２Ｌ）（３Ｌ）間の空間（１０）を略埋める容積を有するタンク（１１）をその前端側を乗降用ステップ（１２）から前方に突出させて装着すると共に、前記タンク（１１）の外側上縁にパイプ又は棒材からなるガード（１７）を前後方向に沿って配置し、該ガード（１７）の前端は下方に湾曲延伸（１７Ａ）されてタンク（１１）の前面外側方を保護しており、該タンク（１１）と該タンク（１１）の外側上縁及び前面外側方に設けたガード（１７）（１７Ａ）によって枝木が車体（４）側に入り込まないように構成されていることを特徴とするトラクタ。
【請求項２】
前記タンク（１１）は燃料用であって、その外側面が前・後輪（２Ｌ）（３Ｌ）の外側面より突出してなくかつタンク（１１）の底面（１１Ｂ）は、左右の前輪（２Ｌ）（２Ｒ）を有する前車軸（１５）とほぼ同一高さ位置とされているとともにタンク（１１）の頂面（１１Ａ）はステップ（１２）と同一面若しくはやや下方に位置していることを特徴とする請求項１記載のトラクタ。
【請求項３】
車体（４）の一側面より水平方向に支持ステー（１３Ａ）（１３Ｂ）の前後対を突出させ、該前後対の支持ステー（１３Ａ）（１３Ｂ）に前後方向視でＵ字形のバンド（１４Ａ）（１４Ｂ）を装着することでタンク（１１）を保持しており、前後対の支持ステー（１３Ａ）（１３Ｂ）の外側方でかつ支持ステー（１３Ａ）（１３Ｂ）間を連結するガード（１７）を備えてタンク（１１）を保護していることを特徴とする請求項１又は２記載のトラクタ。
【発明の詳細な説明】
【０００１】
【発明の属する技術分野】
本発明は、トラクタに係り、より具体的には、果樹園作業等に供される所謂幅狭２軸４車輪形トラクタに関するものである。
【０００２】
【従来の技術】
２軸４車輪形トラクタにおいて、タンク（燃料タンク）は、ボンネット内装又は運転席後方で後輪フェンダ間に配置しているのが一般的であった。
【０００３】
【発明が解決しようとする課題】
燃料タンクは比較的大容量であり、これをエンジンを覆うボンネットに内装したのでは、車高が大きくなって果樹園作業等には不向であるとともにマフラーがボンネットから突出することから、枝木等がマフラーに絡む等の不具合があった。
一方、燃料タンクを後輪フェンダ間に配置したものでは、前述した車高が高いことによる不具合はないけれども、後方視界性が悪くなるという別の課題があった。
【０００４】
そこで本発明は、前輪と後輪との間で乗降障害になることがないようにタンクを配置することによって、前述の課題を解消したトラクタを提供することが目的である。
【０００５】
【課題を解決するための手段】
本発明は、左右の前輪２Ｌ，２Ｒと左右の後輪３Ｌ，３Ｒとを有する２軸４車輪形のトラクタにおいて、前述の目的を達成するために、次の技術的手段を講じている。
すなわち、請求項１に係る本発明のトラクタ１は、左右のいずれか一方の前・後輪２Ｌ，３Ｌ間の空間１０を略埋める容積を有するタンク１１をその前端側を乗降用ステップ１２から前方に突出させて装着すると共に、前記タンク１１の外側上縁にパイプ又は棒材からなるガード１７を前後方向に沿って配置し、該ガード１７の前端は下方に湾曲延伸１７Ａされてタンク１１の前面外側方を保護しており、該タンク１１と該タンク１１の外側上縁及び前面外側方に設けたガード１７，１７Ａによって枝木等が車体４側に入り込まないように構成されていることを特徴とするものである。
【０００６】
このような構成を採用したことによって、ボンネット６の高さを高くすることなく、しかも、ボンネット６にマフラーが内装できるだけでなく、後方視界性も確保されているのである。
これ故、果樹園等の枝木が繁っている作業場においても狭幅なトラクタ１による軽快な作業が可能であるし、タンク１１の前方に、左右方向に突出した状態で枝木等を切断する作業機を装着できるのである。
本発明においては、前述した請求項１において、前記タンク１１は燃料用であって、その外側面が前・後輪２Ｌ，３Ｌの外側面より突出してなくかつタンク１１の底面１１Ｂは、左右の前輪２Ｌ，２Ｒを有する前車軸１５とほぼ同一高さ位置とされているとともにタンク１１の頂面１１Ａはステップ１２と同一面若しくはやや下方に位置していることを特徴とするものである（請求項２）。
【０００７】
このような構成を採用したことによって、タンク１１の容量は大きくできたにも拘らず、地上すきまは確保しつつ乗降障害もなくなったのである。
更に本発明においては、前述した請求項１又は２において、車体４の一側面より水平方向に支持ステー１３Ａ，１３Ｂの前後対を突出させ、該前後対の支持ステー１３Ａ，１３Ｂに前後方向視でＵ字形のバンド１４Ａ，１４Ｂを装着することでタンク１１を保持しており、前後対の支持ステー１３Ａ，１３Ｂの外側方でかつ支持ステー１３Ａ，１３Ｂ間を連結するガード１７を備えてタンク１１を保護していることを特徴とするものである（請求項３）。
【０００８】
このような構成を採用したことによって、果樹園等で作業中において、枝木等が運転者等に絡みつくことはなく、軽快な作業ができるし、ガード１７によってタンク１１の破損，油洩れ等を誘発することもないのである。
【０００９】
【発明の実施の形態】
以下、図を参照して本発明の実施の形態について説明する。
図１は本発明に係る２軸４車輪形トラクタ１の全体構成を斜視図で示しており、左右の前輪２Ｌ，２Ｒと左右（一方は図示省略しているが便宜上符号を付している）の後輪３Ｌ，３Ｒとを有している。
トラクタ車体４は狭幅であって、前部に搭載したエンジン５はボンネット６で覆われており、このボンネット６には図示省略のマフラーが内装されている。
【００１０】
ボンネット６の後部には操縦ハンドル７を備え、該ハンドル７の後方に運転席８を備えて運転操縦装置を構成しており、運転席８の両脇に後輪フェンダ９を立設している。
左右いずれかの前・後輪２Ｌ，３Ｒ間の空間１０を略埋める容量（容積）を有するタンク、実施形態では直方形状の燃料タンク１１が装着されており、該タンク１１によって枝木等が車体４側に入り込まないように構成されている。
図２および図３を併せて参照して説明すると、車体４より左右外方で水平面上に突出された乗降用ステップ１２と同一平面乃至やや下方に、水平方向に支持ステー１３Ａ，１３Ｂの前後対が突出されており、この前後対の支持ステー１３Ａ，１３Ｂに前後方向視でＵ字形の帯板又は棒材よりなるバンド１４Ａ，１４Ｂを装着することによって直方形状のタンク１１を保持している。
【００１１】
タンク１１の底面１１Ｂは前車軸１５とほぼ同一高さ位置とされており、タンク１１の頂面（上面）１１Ａはステップ１２と同一面若しくはやや下方に位置されており、該タンク１１の外側面は前・後輪２Ｌ，３Ｌの外側面より突出しないようにされている。
前後対のバンド１４Ａ，１４Ｂは支持ステー１３Ａ，１３Ｂに対してねじによって高さ調整自在として装着している締結具１６Ｌ，１６Ｒに各上端が固着され、ここに、タンク１１を図示しない防振材を介在した状態で保持しており、前後対の支持ステー１３Ａ，１３Ｂの突出端（外側方）には、パイプ材、棒材等からなるガード１７が前後方向に配置されて支持ステー１３Ａ，１３Ｂを互いに連結しているとともに、ガード１７の前端は下方に弯曲延伸１７Ａされてタンク１１の前面外側方を保護している。
【００１２】
前車軸１５はその両軸端に終減速装置を内装したギヤケース１５Ａ等によって左右の前輪２Ｌ，２Ｒを支持しているとともに、該前輪２Ｌ，２Ｒは操向可能とされている。
前後対の支持ステー１３Ａ，１３Ｂは左右の前車軸フレーム１８等にボルト１９等によって固着されており、この支持ステー１３Ａ，１３Ｂおよびバンド１４Ａ，１４Ｂによって保持されている燃料タンク１１は前・後輪２Ｌ，３Ｌ間の空間一杆の前後長さを有することで、容量増大され、タンク１１の前端は、前輪２Ｌの操向に支障ないようにスキマ１０Ａを有している。
【００１３】
また、図２において、車体４の両側面には、スペーサ２０を介在してロプスブラケット２１がボルト２２等で着脱自在に取付けられており、該ブラケット２１を介して運転席８の両脇に立設するロプス（日除け，安全支柱）２３が立設されている。
なお、左右のスペーサ２０を取外してこの代わりに作業機支え板を介在させ、該支え板を下方に延伸して互いに連結することで作業機フレームを構成し、この作業機フレームに、枝木カッタ等の作業機を装着して、スキマ１０Ａを介して左右方向に備えることもできる。
【００１４】
【発明の効果】
以上詳述したように本発明によれば、車高を高くすることなく、また、後方視界性を確保して比較的大容量のタンクを装着できるし、該タンクによって枝木等の入り込みを防止できるから、果樹園作業用等のトラクタとして有益である。
【図面の簡単な説明】
【図１】本発明に係るトラクタの斜視図である。
【図２】要部の前面図である。
【図３】要部の平面図である。
【符号の説明】
１      トラクタ
２Ｌ    前輪
３Ｌ    後輪
４      車体
１０    空間
１１    タンク
１３Ａ  支持ステー
１３Ｂ  支持ステー
１４Ａ  バンド
１４Ｂ  バンド
【図１】
0003628897.tif 000002
【図２】
0003628897.tif 000003
【図３】
0003628897.tif 000004